(57)【特許請求の範囲】
【請求項１】
携帯電話機が電話着信を受信した際に、
前記携帯電話機が、
着信履歴データを更新し、
更新された前記着信履歴データのうち最新の着信履歴に対応する発信者情報を、前記携帯電話機とハンズフリー通話を行うためのプロファイル又はヘッドセットとの通信を行うためのプロファイルにより接続しているＢｌｕｅｔｏｏｔｈ機器に送信し、
前記Ｂｌｕｅｔｏｏｔｈ機器が、
前記携帯電話機から送信された前記発信者情報を受信して、受信した前記発信者情報を表示し、
前記携帯電話機は、前記発信者情報を送信する前に、前記発信者情報を送信するためのプロファイルにて前記Ｂｌｕｅｔｏｏｔｈ機器と接続されているか否かを判定し、接続されていない場合には、前記発信者情報を送信するためのプロファイルにて前記Ｂｌｕｅｔｏｏｔｈ機器と接続する発信者情報表示方法。
【請求項２】
前記Ｂｌｕｅｔｏｏｔｈ機器に送信される前記発信者情報は、前記最新の着信履歴に紐づいている電話帳データである請求項１に記載の発信者情報表示方法。
【請求項３】
前記Ｂｌｕｅｔｏｏｔｈ機器に送信される前記発信者情報は、前記最新の着信履歴に紐づいている電話帳データのうち、少なくとも登録名を含む一部データである請求項１に記載の発信者情報表示方法。
【請求項４】
前記Ｂｌｕｅｔｏｏｔｈ機器は、受信した前記発信者情報のうちの少なくとも登録名を表示する請求項１乃至３のいずれか１項に記載の発信者情報表示方法。
【請求項５】
請求項１乃至４のいずれか１項に記載の発信者情報表示方法を用いてＢｌｕｅｔｏｏｔｈ機器に発信者情報を送信する携帯電話機。
【請求項６】
Ｂｌｕｅｔｏｏｔｈ通信機能を備えるＢｌｕｅｔｏｏｔｈ機器とハンズフリー通話を行うためのプロファイル又はヘッドセットとの通信を行うためのプロファイルにより接続している携帯電話機に、
前記携帯電話機が電話着信を受信した際に、
着信履歴データを更新させる処理と、
更新させた前記着信履歴データのうち、最新の着信履歴に対応する発信者情報を、前記Ｂｌｕｅｔｏｏｔｈ機器に送信させる処理と、
前記発信者情報を送信させる前に、前記発信者情報を送信するためのプロファイルにて前記Ｂｌｕｅｔｏｏｔｈ機器と接続されているか否かを判定させ、接続されていない場合には、前記発信者情報を送信するためのプロファイルにて前記Ｂｌｕｅｔｏｏｔｈ機器と接続させる処理と、を実行させるプログラム。
【請求項７】
前記Ｂｌｕｅｔｏｏｔｈ機器に送信させる前記発信者情報は、前記最新の着信履歴に紐づいている電話帳データである請求項６に記載のプログラム。
【請求項８】
前記Ｂｌｕｅｔｏｏｔｈ機器に送信させる前記発信者情報は、前記最新の着信履歴に紐づいている電話帳データのうち、少なくとも登録名を含む一部データである請求項６に記載のプログラム。
【発明の詳細な説明】
【技術分野】
【０００１】
本発明は、発信者情報表示方法、携帯電話機、及びプログラムに関し、特に詳しくは携帯電話機とＢｌｕｅｔｏｏｔｈ通信が可能なＢｌｕｅｔｏｏｔｈ機器に発信者情報を表示させる発信者情報表示方法、携帯電話機、及びプログラムに関する。
【背景技術】
【０００２】
Ｂｌｕｅｔｏｏｔｈ（登録商標）通信機能を搭載したＢｌｕｅｔｏｏｔｈ機器と携帯電話機とを、ＨＦＰ（Hands Free Profile）またはＨＳＰ（Headset Profile）で接続することにより、携帯電話機への電話着信をＢｌｕｅｔｏｏｔｈ機器の鳴動で知ることが可能である。また、Ｂｌｕｅｔｏｏｔｈ機器を操作することで、着信応答や通話、終話などを行うことができる。【０００３】
さらに、あらかじめ、携帯電話機の電話帳データをＢｌｕｅｔｏｏｔｈ機器に送信しておくことによって、電話着信時に誰からの着信であるかをＢｌｕｅｔｏｏｔｈ機器で知ることも可能である。【０００４】
例えば、特許文献１には、携帯電話機との間でＰＢＡＰ（Phone Book Access Profile）の自動接続を行うことにより、電話帳データや発着信履歴データの同期をとるハンズフリー車載装置が開示されている。特許文献１では、携帯電話機とハンズフリー車載装置との間のＰＢＡＰ接続は、携帯電話機がＢｌｕｅｔｏｏｔｈ通信範囲内で待ち受け状態にある所定のタイミングで行われる。【０００５】
しかし、特許文献１では、ＰＢＡＰによるＢｌｕｅｔｏｏｔｈ機器への電話帳データ送信のタイミングが電話着信時ではないため、携帯電話機に登録されている最新のデータにて発信者情報の表示を行うことができないことがある。すなわち、電話帳データ送信よりも後に携帯電話機内の電話帳データを編集した場合、編集された最新の電話帳データにて発信者情報の表示を行うことができない。従って、着信時に表示する発信者情報が、編集後の電話帳データのものとは異なることになる。また、電話帳データ送信よりも後に新たに電話帳データに登録した相手からの電話着信である場合、Ｂｌｕｅｔｏｏｔｈ機器で発信者名などの発信者情報表示が不可能である。【０００６】
なお、電話帳データをＢｌｕｅｔｏｏｔｈ機器にあらかじめ送信しておくものではないが、基地局からの着信信号に含まれる発信元電話番号をもとに検索した携帯電話機内の電話帳データを用いて、発信者情報をＢｌｕｅｔｏｏｔｈ機器に表示する技術が特許文献２に開示されている。
【先行技術文献】
【特許文献】
【０００７】
【特許文献１】特開２００９−１１８３１３号公報
【特許文献２】特開２００５−２１０１８１号公報
【発明の概要】
【発明が解決しようとする課題】
【０００８】
しかしながら、特許文献２では、着信信号から読み取った発信元電話番号に対応する電話帳１件分のデータを検索してから、ＨＦＰ接続によりＢｌｕｅｔｏｏｔｈ機器で呼び出し音を鳴らし、その後、検索した電話帳１件分のデータをＯＰＰ（Object Push Profile）接続でＢｌｕｅｔｏｏｔｈ機器に送信している。このように、特許文献２は電話帳データの検索処理が必要であるため、その分、Ｂｌｕｅｔｏｏｔｈ機器にて発信者情報の表示を行うタイミングが遅れてしまう。【０００９】
本発明は、上記のような問題点を解決するためになされたものであり、発信者情報を、より早いタイミングで、携帯電話機に登録されている最新のデータにてＢｌｕｅｔｏｏｔｈ機器に表示することができる発信者情報表示方法、携帯電話機、及びプログラムを提供することを目的とする。
【課題を解決するための手段】
【００１０】
本発明にかかる発信者情報表示方法は、携帯電話機が電話着信を受信して着信履歴データを更新し、更新された前記着信履歴データのうち最新の着信履歴に対応する発信者情報を、前記携帯電話機との間でＢｌｕｅｔｏｏｔｈ通信が可能なＢｌｕｅｔｏｏｔｈ機器に送信し、前記Ｂｌｕｅｔｏｏｔｈ機器が前記携帯電話機から送信された前記発信者情報を受信して、受信した前記発信者情報を表示するものである。【００１１】
また、本発明にかかるプログラムは、Ｂｌｕｅｔｏｏｔｈ通信機能を備えるＢｌｕｅｔｏｏｔｈ機器との間でＢｌｕｅｔｏｏｔｈ通信が可能な携帯電話機に、電話着信を受信すると着信履歴データを更新させる処理と、更新させた前記着信履歴データのうち、最新の着信履歴に対応する発信者情報を前記Ｂｌｕｅｔｏｏｔｈ機器に送信させる処理と、を実行させるものである。
【発明の効果】
【００１２】
本発明によれば、発信者情報を、より早いタイミングで、携帯電話機に登録されている最新のデータにてＢｌｕｅｔｏｏｔｈ機器に表示することができる発信者情報表示方法、携帯電話機、及びプログラムが格納された非一時的なコンピュータ可読媒体を提供することができる。
【図面の簡単な説明】
【００１３】
【図１】本実施の形態に係る発信者情報システムの構成を示す図である。
【図２】本実施の形態に係る携帯電話機及びＢｌｕｅｔｏｏｔｈ機器の動作を示すフローチャートである。
【発明を実施するための形態】
【００１４】
以下、図面を参照して本発明の実施の形態について説明する。説明の明確化のため、以下の記載及び図面は、適宜、省略及び簡略化がなされている。
【００１５】
始めに、本実施の形態に係る発信者情報表示システムの構成について、図１を用いて説明する。図１は、本実施の形態に係る発信者情報システムの構成を示す図である。
【００１６】
図１に示すように、本実施の形態に係る発信者情報表示システムは、携帯電話機１０と、Ｂｌｕｅｔｏｏｔｈ機器２０とを備えている。
【００１７】
携帯電話機１０は、通話相手の名前（登録名）や電話番号などがあらかじめ登録された電話帳データ１１と、着信を行った履歴を記録する着信履歴データ１２とを少なくとも有している。携帯電話機１０は、発信元である対向電話機３０からの電話着信を受信すると、着信履歴データ１２を更新する。そして、携帯電話機１０は、後述する発信者情報表示方法を用いてＢｌｕｅｔｏｏｔｈ機器２０に発信者情報を送信する。携帯電話機１０は、プログラムにより動作が制御されている。
【００１８】
Ｂｌｕｅｔｏｏｔｈ機器２０は、例えばカーナビゲーション装置など、携帯電話機１０との間でＢｌｕｅｔｏｏｔｈ通信が可能な機器である。Ｂｌｕｅｔｏｏｔｈ機器２０は、携帯電話機１０との間でＢｌｕｅｔｏｏｔｈ通信を行うための、Ｂｌｕｅｔｏｏｔｈ通信機能を搭載している。Ｂｌｕｅｔｏｏｔｈ機器２０は、携帯電話機１０のＢｌｕｅｔｏｏｔｈ通信圏内にあるときには、携帯電話機１０との間でＢｌｕｅｔｏｏｔｈ通信を行うことができる。
【００１９】
Ｂｌｕｅｔｏｏｔｈ機器２０は、ディスプレイ２１を少なくとも有している。ディスプレイ２１は、発信者情報などの情報を表示するための表示手段であって、例えば、液晶表示装置や有機ＥＬ（electroluminescence）表示装置などの表示装置である。また、Ｂｌｕｅｔｏｏｔｈ機器２０は、通話相手の名前（登録名）や電話番号などがあらかじめ登録された電話帳データ２２をさらに有していてもよい。例えば、携帯電話機１０の電話帳データ１１をＢｌｕｅｔｏｏｔｈ機器２０に送信することによって、Ｂｌｕｅｔｏｏｔｈ機器２０に電話帳データ２２を登録することができる。
【００２０】
携帯電話機１０及びＢｌｕｅｔｏｏｔｈ機器２０は、Ｂｌｕｅｔｏｏｔｈ通信を行うために、ハンズフリー通話を行うためのＨＦＰ（Hands Free Profile）、またはヘッドセットとの通信を行うためのＨＳＰ（Head Set Profile）に対応している。また、携帯電話機１０及びＢｌｕｅｔｏｏｔｈ機器２０は、電話帳データの転送、発信履歴データや着信履歴データの転送を行うためのＰＢＡＰ（Phone Book Access Profile）に対応している。
【００２１】
続いて、このように構成された発信者情報システムを用いて発信者情報を表示する発信者情報表示方法について、図２を用いて説明する。図２は、本実施の形態に係る携帯電話機１０及びＢｌｕｅｔｏｏｔｈ機器２０の動作を示すフローチャートである。
【００２２】
なお、以下では、携帯電話機１０及びＢｌｕｅｔｏｏｔｈ機器２０が着信時のＨＦＰ／ＨＳＰ自動接続に対応していない場合について、例示的に説明を行う。すなわち、携帯電話機１０は、あらかじめＢｌｕｅｔｏｏｔｈ機器２０とＨＦＰ／ＨＳＰで接続されているとする。従って、携帯電話機１０は、電話着信時にはＢｌｕｅｔｏｏｔｈ機器２０と既にＨＦＰ／ＨＳＰにて接続中である。
【００２３】
図２に示すように、まず、携帯電話機１０は、対向電話機３０からの電話着信を受信する（ステップＳ２０１）と、着信履歴を更新する（ステップＳ２０２）。これにより、携帯電話機１０の着信履歴データ１２を構成する複数の着信履歴のうち、最新の着信履歴が現在着信中のものに更新される。
【００２４】
次に、携帯電話機１０は、ＨＦＰ／ＨＳＰにて接続中のＢｌｕｅｔｏｏｔｈ機器２０とＰＢＡＰ接続されているかどうかを判定する（ステップＳ２０３）。そして、判定の結果、Ｂｌｕｅｔｏｏｔｈ機器２０とＰＢＡＰ接続されていない場合（ステップＳ２０３におけるＮＯ）、携帯電話機１０はＢｌｕｅｔｏｏｔｈ機器２０とＰＢＡＰ接続する（ステップＳ２０４）。すなわち、ＨＦＰもしくはＨＳＰ接続されているＢｌｕｅｔｏｏｔｈ機器２０に対してＰＢＡＰによる自動接続を行う。なお、判定の結果、Ｂｌｕｅｔｏｏｔｈ機器２０とＰＢＡＰによる接続が既に確立されている場合（ステップ２０３におけるＹＥＳ）、ステップＳ２０４の動作は省略する。このようにして、Ｂｌｕｅｔｏｏｔｈ機器２０が携帯電話機１０とＰＢＡＰ接続される（ステップＳ２１１）。
【００２５】
続いて、携帯電話機１０は、最新の着信履歴に対応する電話帳データをＢｌｕｅｔｏｏｔｈ機器２０に送信する（ステップＳ２０５）。すなわち、電話帳データ１１のうち、最新の着信履歴に対応する１件分の電話帳データが送信される。ここで、通常、着信履歴データ１２に含まれる着信履歴には、対応する電話帳データがそれぞれ紐づいている。そのため、本実施の形態では、Ｂｌｕｅｔｏｏｔｈ機器２０に送信する電話帳データを最新の着信履歴から特定するのみでよく、電話帳データ１１の中から検索する必要はない。従って、特許文献２よりも早いタイミングで最新の着信履歴に対応する電話帳データを送信することができる。
【００２６】
次に、前述の動作により、あらかじめ携帯電話機１０とＰＢＡＰ接続（ステップＳ２１１）されたＢｌｕｅｔｏｏｔｈ機器２０は、携帯電話機１０とＰＢＡＰ接続した状態で、電話帳データを携帯電話機１０から受信する（ステップＳ２１２）。すなわち、ステップ２０５において携帯電話機１０から送信された、最新の着信履歴に対応する電話帳データが、この携帯電話機１０とＰＢＡＰ接続中のＢｌｕｅｔｏｏｔｈ機器２０によって受信される。
【００２７】
そして、Ｂｌｕｅｔｏｏｔｈ機器２０は、受信した電話帳データの登録名をディスプレイ２１に表示する（ステップ２１３）。ここでは、受信した電話帳データのうち、少なくとも登録名を発信者名として表示する。これにより、発信者情報が携帯電話機１０に登録されている最新のデータにてＢｌｕｅｔｏｏｔｈ機器２０に表示される。
【００２８】
なお、上記では、携帯電話機１０とＢｌｕｅｔｏｏｔｈ機器２０がＰＢＡＰに対応し、ＰＢＡＰ接続にて最新の着信履歴に対応する電話帳データを発信者情報として転送する場合について例示的に説明をしたが、これに限定されるものではない。最新の着信履歴に対応する電話帳データのうち、少なくとも登録名を含む一部データを発信者情報として転送してもよい。すなわち、電話帳データに含まれるデータのうち、名前、電話番号等、表示に必要なデータを転送するのみでもよい。この場合、携帯電話機１０とＢｌｕｅｔｏｏｔｈ機器２０とを、発信者情報を送信するためのプロファイルで接続してから、このプロファイルにて発信者情報を転送する。発信者情報を送信するためのプロファイルとして、両者が互いに対応しているＯＰＰ等のプロファイルを用いることができる。
【００２９】
このように、本実施の形態の発信者情報表示方法は、携帯電話機１０が、電話着信を受信すると着信履歴データ１２を更新し、更新された着信履歴データ１２のうち、最新の着信履歴に対応する発信者情報をＢｌｕｅｔｏｏｔｈ機器２０に送信する。そして、携帯電話機１０から送信された発信者情報を受信したＢｌｕｅｔｏｏｔｈ機器２０は、受信した発信者情報を表示する。
【００３０】
本発明は、ハードウェアの構成として実現することも可能であり、任意の処理を、ＣＰＵ（Central Processing Unit）にコンピュータプログラムを実行させることにより実現することも可能である。本実施の形態のプログラムは、Ｂｌｕｅｔｏｏｔｈ通信機能を備えるＢｌｕｅｔｏｏｔｈ機器２０との間でＢｌｕｅｔｏｏｔｈ通信が可能な携帯電話機１０に、電話着信を受信すると着信履歴データを更新させる処理と、更新させた着信履歴データのうち、最新の着信履歴に対応する発信者情報をＢｌｕｅｔｏｏｔｈ機器２０に送信させる処理と、を実行させる。
【００３１】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３２】
以上のように、本実施の形態では、携帯電話機１０に電話着信があると、着信履歴データ１２を更新し、最新の着信履歴に対応する発信者情報をＢｌｕｅｔｏｏｔｈ機器２０へ転送する。Ｂｌｕｅｔｏｏｔｈ機器２０は、携帯電話機１０から送信された発信者情報を受信し、受信した発信者情報をディスプレイ２１に表示する。このような方法により、発信者情報を、携帯電話機１０に登録されている最新のデータにてＢｌｕｅｔｏｏｔｈ機器２０に表示することができる。
【００３３】
特に、本実施の形態では、最新の着信履歴に紐づいている電話帳データから発信者情報を特定するため、電話帳データ１１内の検索処理が不要である。これに対し、特許文献２では、電話帳データの検索処理が必要であるため、その分、Ｂｌｕｅｔｏｏｔｈ機器にて発信者情報の表示を行うタイミングが遅れてしまう。そのため、本実施の形態では、特許文献２よりも早いタイミングで、Ｂｌｕｅｔｏｏｔｈ機器２０で発信者情報の表示を行うことが可能である。従って、本実施の形態によれば、発信者情報を、より早いタイミングで、携帯電話機に登録されている最新のデータにてＢｌｕｅｔｏｏｔｈ機器に表示することができる発信者情報表示方法、携帯電話機、及びプログラムを提供することができる。
【００３４】
なお、本発明は上記実施の形態に限られたものではなく、趣旨を逸脱しない範囲で適宜変更することが可能である。例えば、携帯電話機１０がＢｌｕｅｔｏｏｔｈ機器２０とあらかじめＨＦＰ／ＨＳＰにて接続されているとして説明を行ったが、電話着信時にＨＦＰ／ＨＳＰの自動接続を行ってもよい。例えば、電話着信時に携帯電話機１０からＢｌｕｅｔｏｏｔｈ機器２０へＨＦＰもしくはＨＳＰの自動接続を行うことで、あらかじめ接続を確立しておく必要がなくなる発明（特開２００９−１２４２４３号公報参照）と本発明とを組み合わせてもよい。これにより、着信時に、ＨＦＰ又はＨＳＰの自動接続と、ＰＢＡＰの自動接続とを同時に行うことができる。
【００３５】
また、上記説明では、携帯電話機１０から受信した発信者情報はディスプレイ２１に表示するとしたが、表示に限定されるものではなく、音声などその他の報知方法を用いて報知することも可能である。
【００３６】
以上、実施の形態を参照して本願発明を説明したが、本願発明は上記によって限定されるものではない。本願発明の構成や詳細には、発明のスコープ内で当業者が理解し得る様々な変更をすることができる。
【００３７】
この出願は、２００９年８月２５日に出願された日本出願特願２００９−１９４３８０を基礎とする優先権を主張し、その開示の全てをここに取り込む。
【符号の説明】
【００３８】
１０  携帯電話機、
１１  電話帳データ、
１２  着信履歴データ、
２０  Ｂｌｕｅｔｏｏｔｈ機器、
２１  ディスプレイ、
２２  電話帳データ、
３０  対向携帯電話機
【図１】
0005556814.tif 000002
【図２】
0005556814.tif 000003